(57)【要約】      （修正有）【課題】前面パネルの開閉だけで制御基板等の交換作業が実施可能となり、作業性を格段に向上させる。【解決手段】商品を収納する商品収納部と該商品収納部を冷却する冷却器とを備えたショーケース本体と、冷却器と接続する圧縮機及び凝縮器を配置した機械室４とを備え、機械室には、引出可能な第２の基部を配置し、該第２の基部に凝縮器および電装ボックス２５を設置し、該凝縮器と接続するとともに第２の基部引出方向に伸縮可能な形状に形成した冷媒配管２７を設けたショーケースにおいて、電装ボックス２５への配線２６は冷媒配管２７に添わせて支承させ、冷媒配管２７とともに引出および収納を行う。【選択図】図１
2013204963.tif 000002
【特許請求の範囲】
【請求項１】
商品を収納する商品収納部と該商品収納部を冷却する冷却器とを備えたショーケース本体と、前記冷却器と接続する圧縮機及び凝縮器を配置した機械室とを備え、前記機械室には、引出可能な第２の基部を配置し、該第２の基部に前記凝縮器および電装ボックスを設置し、該凝縮器と接続するとともに第２の基部引出方向に伸縮可能な形状に形成した冷媒配管を設けたショーケースにおいて、電装ボックスへの配線は冷媒配管に添わせて支承させ、冷媒配管とともに引出および収納を行うことを特徴としたショーケース。
【請求項２】
電装ボックスへの配線は冷媒配管に適宜間隔で固定する請求項１記載のショーケース。
【請求項３】
電装ボックスへの配線は冷媒配管に適宜間隔で吊輪にて支承する請求項１記載のショーケース。
【発明の詳細な説明】
【技術分野】
【０００１】
本発明は、冷気を循環させ商品を冷蔵、陳列収納し、機械室に納めた電装ボックスが本体から引き出すことを可能とするショーケースに関する。
【背景技術】
【０００２】
下記特許文献にもあるが、冷凍機内蔵型ショーケース１は、図４、図５に示すように、内側に商品収納部３を形成する前面開口のショーケース本体２と、該ショーケース本体２の下部に設置された機械室４とを備えたものである。
【特許文献１】特許第３７４２７２６号公報
【０００３】
側断面が略コ字状の断熱壁５によるショーケース本体２の断熱壁５の内側に仕切板６を所定の間隔をおいて配置し、断熱壁５の後方に所定の間隔をおいて背面板７を配置し、断熱壁５の前端部から背面板７の上端に亘って天井パネル８を被装し、断熱壁５と仕切板６間の空間及び断熱壁５と背面板７間の空間の左右方向を左右一対の側板９で閉鎖し、該側板９の外側に左右一対のガラス板１０を設けた。
【０００４】
また、商品収納部３には、複数段（図示では５段）の着脱自在の商品棚１１と、商品棚１１の下方には断熱壁５の底壁と所定の間隔をおいて底棚１２を配置している。
【０００５】
仕切板６及び底棚１２と断熱壁５との間隙に冷気ダクト１３を形成し、冷気ダクト１３の上部前端には、冷気を商品収納部３方向へ吐出する吐出口１４を形成し、冷気ダクト１３の下部前端には、外気をダクト内へ吸入する吸入口１５を形成する。冷気ダクト１３の吐出口１４から背面側に亘って、吐出口１４から吐出される冷気を整流する整流板１６を設ける。
【０００６】
冷気ダクト１３の下部であって底棚１２の下方には、冷却ファン１７を設置し、冷気ダクト１３の後方であって約下半分に冷却器１８を設置する。
【０００７】
機械室４には、前記冷却器１８と接続して冷凍サイクルを形成する凝縮器１９及び圧縮機２０と、主として凝縮器１９を冷却するとともに機械室４の各機器を冷却する凝縮器ファン２１を設置する。
【０００８】
また、機械室４の前面は取り外し可能な前面パネルとなり、機械室４の後端部上面は、断熱壁５の背面壁と背面板７との間に形成された排気ダクト２２と連通させ、凝縮器ファン２１により送風された空気は該排気ダクト２２を流通してショーケース１の上方へ排出される。
【０００９】
このような構成により、圧縮機２０及び凝縮器ファン２１を駆動すれば冷媒が流通して冷却器１８が冷却される。凝縮器１９は凝縮器ファン２１により冷却され、凝縮器１９からの熱は排気ダクト２２から排出される。
【００１０】
冷却ファン１７を駆動すると、吸入口１５から冷気ダクト１３内に外気が吸入され、この空気は冷却器１８に流入し冷却される。冷却器１８による冷気は、吐出口１４から商品収納部３に吐出される。以上のようにして、ショーケース１は、商品収納部３に収納した商品を保冷する。
【００１１】
ショーケース１の機械室４は、図５に示すように、機械室４は、枠体４１と、枠体４１の床２面に配置され該床面を前後に分割する前基台４２及び後基台４３を備える。この前基台４２は、枠体４１の底面上を摺動して前方に引き出し可能に配置してある。
【００１２】
後基台４３には、前記圧縮機２０が設置され、圧縮機２０の吸入側には低圧側の冷媒配管５１が接続され、該冷媒配管５１は冷却器１８へと導かれている。この冷媒配管５１は、高い冷却効率を維持するとともに結露の発生を防止するため周囲を断熱材５１ａにより被覆されている。
【００１３】
また、後基台４３には、圧縮機２０の側方に受液器４４が立設され、この受液器４４の出口側には冷媒配管５２が接続されており、該冷媒配管５２は前記冷媒配管５１と共に冷却器１８へと導かれている。
【００１４】
前基台４２には、凝縮器１９と該凝縮器１９の背面側に付設した凝縮器ファン２１が設置されている。この凝縮器１９の入口側には高圧側の冷媒配管５３が接続されており、該冷媒配管５３は所定形状に引き回した後に他端を圧縮機２０の吐出側に接続している。一方、凝縮器１９の出口側には、高圧側の冷媒配管５４が接続されており、該冷媒配管５４は所定形状に引き回した後に他端を前記受液器４４の入口側に接続している。
【００１５】
前記冷媒配管５３及び５４は可撓性を有する銅パイプからなり、ショーケース１の前後方向を軸としてコイル状に巻回され、冷媒配管５３及び５４の材質は、可撓性を有する銅パイプからなり、断熱材により被覆されていることもある。
【００１６】
このような構成により、冷媒配管５３及び５４のコイル状巻回部は、銅パイプの可撓性によって前後方向に伸縮可能となる。したがって、図６に示すように、冷媒配管５３及び５４を介して接続した凝縮器１９と圧縮機２０及び受液器４４との接続状態を維持したまま、すなわち、冷凍サイクルを維持したまま、前基台４２を前方に引き出すことができる。
【００１７】
図中４５は配管押さえ板で、前方に引き出した前基台４２を後方に押し込んで機械室４内に収める際に、伸縮変形した冷媒配管５３及び５４を速やかに元の形状に復帰させるとともに、冷媒配管５３及び５４が圧縮機２０等の機器に衝突しないようにする。
【００１８】
図中２５は制御基板を収納する電装ボックスで、前基台４２上で凝縮器１９の隣に設置され、制御基板等の修理が必要とされる場合、前基台４２を前方に引き出すことにより、この電装ボックス２５も凝縮器１９とともに前方に引き出すことができる。
【００１９】
なお、冷媒配管５３及び５４を前後方向に伸縮可能とするには、矩形のコイル状に巻回することの他に、円形や楕円形のコイル状に巻回してもよいし、蛇腹状や蛇行状に形成してもよい。また、凝縮器１９を設置した前基台４２は、機械室４の側方や後方に引き出すように構成してもよい。
【発明の概要】
【発明が解決しようとする課題】
【００２０】
図７、図８に示すように、制御基板を収納する電装ボックス２５を機械室４から引き出す時に、引き出した状態で配線２６は足りるような長さが設定されている。
【００２１】
しかし、図９に示すように、電装ボックス２５を戻す時には、その長さ余分となるために、配線２６を収納する作業が新たに発生し効率が悪い。
【００２２】
また、配線２６が確実に収納できない場合は、電装ボックス２５の引き出し時に取り外した前面パネルのみならず、サイドのパネルを追加で開けて作業する必要があった。
【００２３】
本発明の目的は前記従来例の不都合を解消し、前面パネルの開閉だけで制御基板等の交換作業が実施可能となり作業性の改善が格段に向上するショーケースの電装ボックス引き出し用配線処理構造を提供することにある。
【課題を解決するための手段】
【００２４】
前記目的を達成するため請求項１記載の本発明は、商品を収納する商品収納部と該商品収納部を冷却する冷却器とを備えたショーケース本体と、前記冷却器と接続する圧縮機及び凝縮器を配置した機械室とを備え、前記機械室には、引出可能な第２の基部を配置し、該第２の基部に前記凝縮器および電装ボックスを設置し、該凝縮器と接続するとともに第２の基部引出方向に伸縮可能な形状に形成した冷媒配管を設けたショーケースにおいて、電装ボックスへの配線は冷媒配管に添わせて支承させ、冷媒配管とともに引出および収納を行うことを要旨とするものである。
【００２５】
請求項１記載の本発明によれば、電装ボックスへの配線は機械室の引き出し可能な距離の部分だけは、冷媒配管の伸縮構造を利用して配線の巻き取り構造となる。このように、冷媒配管の伸縮構造を利用して電装ボックスの配線を巻き取らせる構造にすることにより、前面パネルの開閉だけで制御基板等の交換作業が実施可能となり作業性の改善が格段に向上する。
【００２６】
請求項２記載の本発明は、電装ボックスへの配線は冷媒配管に適宜間隔で固定すること、請求項３の本発明は、電装ボックスへの配線は冷媒配管に適宜間隔で吊輪で支承することを要旨とするものである。
【００２７】
請求項２記載の本発明によれば、配線は冷媒配管に添って一体化され、冷媒配管とともに引出および収納を行うことができる。
【００２８】
請求項３記載の本発明によれば、前記請求項２記載の作用に加えて、配線は冷媒配管に適宜間隔で吊輪にて支承することで、カーテンレール的に相対的な変移できる余裕がある支承であり、無理か力を加えられることを防止できる。
【発明の効果】
【００２９】
以上述べたように本発明のショーケースは、商品を収納する商品収納部と該商品収納部を冷却する冷却器とを備えたショーケース本体と、前記冷却器と接続する圧縮機及び凝縮器を配置した機械室とを備え、前記機械室には、引出可能な第２の基部を配置し、該第２の基部に前記凝縮器および電装ボックスを設置し、該凝縮器と接続するとともに第２の基部引出方向に伸縮可能な形状に形成した冷媒配管を設けたショーケースにおいて、前面パネルの開閉だけで制御基板等の交換作業が実施可能となり作業性の改善が格段に向上するものである。
【発明を実施するための最良の形態】
【００３０】
以下、図面について本発明の実施の形態を詳細に説明する。図１は本発明のショーケースの電装ボックス引き出し用配線処理構造の１実施形態を示す説明図で、前記従来例を示す図７〜図９と同じく、図中２５は制御基板を収納する電装ボックス、２６は配線である。
【００３１】
この電装ボックス２５はここでの図示は省略するが、商品を収納する商品収納部と該商品収納部を冷却する冷却器とを備えたショーケース本体と、前記冷却器と接続する圧縮機及び凝縮器を配置した機械室とを備えるショーケース（図４参照）の機械室４の引出可能な第２の基部（前基台４２）に配置され、凝縮器とともに引出可能設置されるものである。（図５参照）
【００３２】
図中２７は凝縮器に接続する冷媒配管で、図５の冷媒配管５３もしくは冷媒配管５４に相当し、可撓性を有する銅パイプからなり、ショーケース１の前後方向を軸としてコイル状に巻回され、冷媒配管５３及び５４の材質は、可撓性を有する銅パイプからなり、断熱材により被覆されていることもある。
【００３３】
該冷媒配管２７は、前後方向に伸縮可能となり、したがって、冷媒配管２７を介して接続した凝縮器と圧縮機及び受液器との接続状態を維持したまま、すなわち、冷凍サイクルを維持したまま、前基台４２を前方に引き出すことができる。
【００３４】
本発明は、電装ボックス２５への配線２６は前記冷媒配管２７に添わせて支承させた。
【００３５】
その場合に、電装ボックス２５への配線２６は冷媒配管２７にテープ等で適宜間隔で固定するようにしてもよいし、さらに他の実施形態として、冷媒配管に適宜間隔で吊輪２８を取り付け、この吊輪２８の中を通すようにして支承するようにしてもよい。
【００３６】
このようにして、図１に示すように電装ボックス２５の収納時には冷媒配管２７は縮小状態にあり、配線２６もそれに従い、巻き取り状態にある。
【００３７】
電装ボックス２５が引き出された場合、凝縮器も引き出されて冷媒配管２７が伸ばされ、配線２６もそれに従い、伸びた状態にある。
【００３８】
再度、電装ボックス２５が収納される場合には、配線２６は、冷媒配管２７が縮小するとともに巻き取りがなされ、配線２６を収納する作業を自動的に行うことができる。
【図面の簡単な説明】
【００３９】
【図１】本発明のショーケースの１実施形態を示す電装ボックス収納時の説明図である。
【図２】本発明のショーケースの１実施形態を示す電装ボックス引き出し時の説明図である。
【図３】本発明のショーケースの１実施形態を示す電装ボックス再収納時の説明図である。
【図４】ショーケースの側面断面図である。
【図５】機械室の上面断面図である。
【図６】前基台を引き出した際における機械室の上面断面図である。
【図７】従来例を示す電装ボックス収納時の説明図である。
【図８】従来例を示す電装ボックス引き出し時の説明図である。
【図９】従来例を示す電装ボックス再収納時の説明図である。
【符号の説明】
【００４０】
１…ショーケース          ２…ショーケース本体
３…商品収納部            ４…機械室
５…断熱壁                ６…仕切板
７…背面板                ８…天井パネル
９…側板                  １０…ガラス板
１１…商品棚              １２…底棚
１３…冷気ダクト          １４…吐出口
１５…吸入口              １６…整流板
１７…冷却ファン          １８…冷却器
１９…凝縮器              ２０…圧縮機
２１…凝縮器ファン        ２２…排気ダクト
２５…電装ボックス        ２６…配線
２７…冷媒配管            ２８…吊輪
４１…枠体                ４２…前基台
４３…後基台              ４４…受液器
４５…配管押さえ板        ５１〜５４…冷媒配管
５１ａ…断熱材
【図１】
2013204963.tif 000003
【図２】
2013204963.tif 000004
【図３】
2013204963.tif 000005
【図４】
2013204963.tif 000006
【図５】
2013204963.tif 000007
【図６】
2013204963.tif 000008
【図７】
2013204963.tif 000009
【図８】
2013204963.tif 000010
【図９】
2013204963.tif 000011